(57)【要約】【課題】コンテンツに隠蔽化された情報に基づいて、他のコンテンツを取得する。【解決手段】解読情報付加部２５は、鍵情報生成部２２からの鍵情報と格納アドレス取得部２４からの格納アドレス情報を放送コンテンツに隠蔽化し、記憶部２６に記憶させる。制御部２７は、記憶部２６から編集済みコンテンツを読み出して配信する。解読情報取得部５５は、アンテナ５１乃至使用部５４を介して生成された出力データから格納アドレス情報と鍵情報を取得する。関連コンテンツ要求部５６は、格納アドレス情報に基づいて、配信装置１２に対して関連コンテンツの配信を要求する。外部入力部８７は、その配信要求に応じて配信されてきた関連コンテンツを受信する。復号部８８は、関連コンテンツを鍵情報を用いて復号する。本発明は、テレビジョン放送の配信システムに適用することができる。【選択図】図２
2006041574.tif 000002
【特許請求の範囲】
【請求項１】
コンテンツを配信するコンテンツ配信装置、および、前記コンテンツを受信するコンテンツ受信装置からなるコンテンツ配信システムにおいて、
前記コンテンツ配信装置は、
前記コンテンツに関連する関連コンテンツを記憶する記憶手段と、
前記関連コンテンツを取得するための解読情報を生成する生成手段と、
前記生成手段により生成された前記解読情報を、前記コンテンツに付加する付加手段と、
前記付加手段により付加された前記コンテンツを配信する第１の配信手段と、
前記コンテンツ受信装置からの要求に応じて、前記記憶手段に記憶されている前記関連コンテンツを検索し、配信する第２の配信手段と
を備え、
前記コンテンツ受信装置は、
前記コンテンツを受信する第１の受信手段と、
前記第１の受信手段により受信された前記コンテンツを出力する出力手段と、
前記出力手段により出力された前記コンテンツに付加されている前記解読情報を取得する取得手段と、
前記取得手段により取得された前記解読情報に基づいて、前記関連コンテンツの配信を要求する要求手段と、
前記要求手段による要求に応じて配信されてきた前記関連コンテンツを受信する第２の受信手段と
を備えることを特徴とするコンテンツ配信システム。
【請求項２】
コンテンツを配信するコンテンツ配信装置において、
前記コンテンツに関連する関連コンテンツを記憶する記憶手段と、
前記関連コンテンツを取得するための解読情報を生成する生成手段と、
前記生成手段により生成された前記解読情報を、前記コンテンツに付加する付加手段と、
前記付加手段により付加された前記コンテンツを配信する第１の配信手段と、
コンテンツ受信装置からの要求に応じて、前記記憶手段に記憶されている前記関連コンテンツを検索し、配信する第２の配信手段と
を備えることを特徴とするコンテンツ配信装置。
【請求項３】
前記生成手段により生成された前記解読情報に基づいて、前記関連コンテンツを暗号化する暗号化手段をさらに備え、
前記記憶手段は、前記暗号化手段により暗号化された前記関連コンテンツを記憶する
ことを特徴とする請求項２に記載のコンテンツ配信装置。
【請求項４】
前記コンテンツは、複数のコンテンツ領域から構成され、
前記関連コンテンツは、複数の関連コンテンツ領域から構成され、
前記付加手段は、前記コンテンツ領域の全部、一部、または、所定の領域に分散化して前記解読情報を付加し、
前記暗号化手段は、前記関連コンテンツ領域を、前記コンテンツ領域に付加された前記解読情報により暗号化する
ことを特徴とする請求項３に記載のコンテンツ配信装置。
【請求項５】
前記付加手段は、前記解読情報を前記コンテンツに隠蔽化する
ことを特徴とする請求項２に記載のコンテンツ配信装置。
【請求項６】
前記コンテンツには、少なくとも広告情報が含まれ、
前記解読情報は、前記広告情報に付加される
ことを特徴とする請求項２に記載のコンテンツ配信装置。
【請求項７】
前記解読情報には、前記記憶手段に記憶されている前記関連コンテンツのアドレス情報、および、前記関連コンテンツを復号する鍵情報が含まれる
ことを特徴とする請求項２に記載のコンテンツ配信装置。
【請求項８】
コンテンツを配信するコンテンツ配信装置のコンテンツ配信方法において、
前記コンテンツに関連する関連コンテンツを記憶する記憶ステップと、
前記関連コンテンツを取得するための解読情報を生成する生成ステップと、
前記生成ステップの処理により生成された前記解読情報を、前記コンテンツに付加する付加ステップと、
前記付加ステップの処理により付加された前記コンテンツを配信する第１の配信ステップと、
コンテンツ受信装置からの要求に応じて、前記記憶ステップの処理により記憶されている前記関連コンテンツを検索し、配信する第２の配信ステップと
を含むことを特徴とするコンテンツ配信方法。
【請求項９】
コンテンツを配信するコンテンツ配信装置のコンテンツ配信処理を、コンピュータに行わせるプログラムにおいて、
前記コンテンツに関連する関連コンテンツを記憶する記憶ステップと、
前記関連コンテンツを取得するための解読情報を生成する生成ステップと、
前記生成ステップの処理により生成された前記解読情報を、前記コンテンツに付加する付加ステップと、
前記付加ステップの処理により付加された前記コンテンツを配信する第１の配信ステップと、
コンテンツ受信装置からの要求に応じて、前記記憶ステップの処理により記憶されている前記関連コンテンツを検索し、配信する第２の配信ステップと
を含むことを特徴とするコンピュータが読み取り可能なプログラムが記録されている記録媒体。
【請求項１０】
コンテンツを配信するコンテンツ配信装置のコンテンツ配信処理を、コンピュータに行わせるプログラムにおいて、
前記コンテンツに関連する関連コンテンツを記憶する記憶ステップと、
前記関連コンテンツを取得するための解読情報を生成する生成ステップと、
前記生成ステップの処理により生成された前記解読情報を、前記コンテンツに付加する付加ステップと、
前記付加ステップの処理により付加された前記コンテンツを配信する第１の配信ステップと、
コンテンツ受信装置からの要求に応じて、前記記憶ステップの処理により記憶されている前記関連コンテンツを検索し、配信する第２の配信ステップと
をコンピュータに実行させることを特徴とするプログラム。
【請求項１１】
コンテンツを受信するコンテンツ受信装置において、
コンテンツ配信装置より配信されてくる前記コンテンツを受信する第１の受信手段と、
前記第１の受信手段により受信された前記コンテンツを出力する出力手段と、
前記出力手段により出力された前記コンテンツに付加されている前記解読情報を取得する取得手段と、
前記取得手段により取得された前記解読情報に基づいて、前記コンテンツ配信装置に対し、関連コンテンツの配信を要求する要求手段と、
前記要求手段による要求に応じて配信されてきた前記関連コンテンツを受信する第２の受信手段と
を備えることを特徴とするコンテンツ受信装置。
【請求項１２】
前記第２の受信手段により受信された前記関連コンテンツを、前記取得手段により取得された前記解読情報に基づいて復号する復号手段をさらに備える
ことを特徴とする請求項１１に記載のコンテンツ受信装置。
【請求項１３】
前記第２の受信手段は、暗号化された前記関連コンテンツを受信し、
前記復号手段は、前記解読情報に含まれる鍵情報に基づいて、前記関連コンテンツを復号する
ことを特徴とする請求項１２に記載のコンテンツ受信装置。
【請求項１４】
前記第２の受信手段は、複数の暗号化された前記関連コンテンツを受信し、
前記復号手段は、前記解読情報に含まれる鍵情報に基づいて、複数の前記関連コンテンツをそれぞれ復号し、復号された複数の前記関連コンテンツの一部または全部を用いて、１つまたは複数の関連コンテンツを復元する
ことを特徴とする請求項１２に記載のコンテンツ受信装置。
【請求項１５】
前記要求手段は、前記解読情報に含まれるアドレス情報に基づいて、前記関連コンテンツの配信を要求する
ことを特徴とする請求項１１に記載のコンテンツ受信装置。
【請求項１６】
前記出力手段により出力された前記コンテンツ、および、前記第２の受信手段により受信された前記関連コンテンツを合成する合成手段をさらに備える
ことを特徴とする請求項１１に記載のコンテンツ受信装置。
【請求項１７】
前記第１の受信手段により受信された前記コンテンツ、および、前記第２の受信手段により受信された前記関連コンテンツを記録する記録手段と、
前記記録手段に記録されている前記コンテンツを再生する再生手段と
をさらに備え、
前記取得手段は、前記再生手段により再生された前記コンテンツに付加されている前記解読情報を取得し、
前記要求手段は、前記取得手段により取得された前記解読情報に基づいて、前記関連コンテンツの配信を要求し、
前記第２の受信手段は、前記要求手段による要求に応じて配信されてきた前記関連コンテンツを受信する
ことを特徴とする請求項１１に記載のコンテンツ受信装置。
【請求項１８】
前記再生手段により再生された前記コンテンツ、および、前記第２の受信手段により受信された前記関連コンテンツを合成する合成手段をさらに備える
ことを特徴とする請求項１７に記載のコンテンツ受信装置。
【請求項１９】
前記記録手段に、前記解読情報に対応する関連コンテンツが既に記録されているか否かを判定する判定手段をさらに備え、
前記判定手段により、前記関連コンテンツが既に記録されていると判定された場合、前記要求手段は、前記関連コンテンツの配信要求を行わない
ことを特徴とする請求項１７に記載のコンテンツ受信装置。
【請求項２０】
前記判定手段は、前記解読情報に対応する関連コンテンツが既に記録されていると判定した場合、既に記録されている前記関連コンテンツより、新しい関連コンテンツを取得することが可能であるか否かをさらに判定する
ことを特徴とする請求項１９に記載のコンテンツ受信装置。
【請求項２１】
前記判定手段により、前記新しい関連コンテンツを取得することが可能であると判定された場合、前記要求手段は、前記解読情報に基づいて、前記新しい関連コンテンツの配信を要求し、
前記第２の受信手段は、前記要求手段による要求に応じて配信されてきた前記新しい関連コンテンツを受信し、
前記記録手段は、既に記録されている前記関連コンテンツから、前記第２の受信手段により受信された前記新しい関連コンテンツに更新する
ことを特徴とする請求項２０に記載のコンテンツ受信装置。
【請求項２２】
前記解読情報は、前記コンテンツに隠蔽化されている
ことを特徴とする請求項１１に記載のコンテンツ受信装置。
【請求項２３】
前記コンテンツには、少なくとも広告情報が含まれ、
前記解読情報は、前記広告情報に付加されている
ことを特徴とする請求項１１に記載のコンテンツ受信装置。
【請求項２４】
コンテンツを受信するコンテンツ受信装置のコンテンツ受信方法において、
コンテンツ配信装置より配信されてくる前記コンテンツを受信する第１の受信ステップと、
前記第１の受信ステップの処理により受信された前記コンテンツを出力する出力ステップと、
前記出力ステップの処理により出力された前記コンテンツに付加されている前記解読情報を取得する取得ステップと、
前記取得ステップの処理により取得された前記解読情報に基づいて、前記コンテンツ配信装置に対し、関連コンテンツの配信を要求する要求ステップと、
前記要求ステップの処理による要求に応じて配信されてきた前記関連コンテンツを受信する第２の受信ステップと
を含むことを特徴とするコンテンツ受信方法。
【請求項２５】
コンテンツを受信するコンテンツ受信装置のコンテンツ受信処理を、コンピュータに行わせるプログラムにおいて、
コンテンツ配信装置より配信されてくる前記コンテンツを受信する第１の受信ステップと、
前記第１の受信ステップの処理により受信された前記コンテンツを出力する出力ステップと、
前記出力ステップの処理により出力された前記コンテンツに付加されている前記解読情報を取得する取得ステップと、
前記取得ステップの処理により取得された前記解読情報に基づいて、前記コンテンツ配信装置に対し、関連コンテンツの配信を要求する要求ステップと、
前記要求ステップの処理による要求に応じて配信されてきた前記関連コンテンツを受信する第２の受信ステップと
を含むことを特徴とするコンピュータが読み取り可能なプログラムが記録されている記録媒体。
【請求項２６】
コンテンツを受信するコンテンツ受信装置のコンテンツ受信処理を、コンピュータに行わせるプログラムにおいて、
コンテンツ配信装置より配信されてくる前記コンテンツを受信する第１の受信ステップと、
前記第１の受信ステップの処理により受信された前記コンテンツを出力する出力ステップと、
前記出力ステップの処理により出力された前記コンテンツに付加されている前記解読情報を取得する取得ステップと、
前記取得ステップの処理により取得された前記解読情報に基づいて、前記コンテンツ配信装置に対し、関連コンテンツの配信を要求する要求ステップと、
前記要求ステップの処理による要求に応じて配信されてきた前記関連コンテンツを受信する第２の受信ステップと
をコンピュータに実行させることを特徴とするプログラム。
【請求項２７】
記録メディアに記録されているコンテンツを再生するコンテンツ再生装置において、
前記記録メディアに記録されている前記コンテンツを読み出す読み出し手段と、
前記読み出し手段により読み出された前記コンテンツを出力する出力手段と、
前記出力手段により出力された前記コンテンツに付加されている前記解読情報を取得する取得手段と、
前記取得手段により取得された前記解読情報に基づいて、コンテンツ配信装置に対し、関連コンテンツの配信を要求する要求手段と、
前記要求手段による要求に応じて配信されてきた前記関連コンテンツを受信する受信手段と
を備えることを特徴とするコンテンツ再生装置。
【請求項２８】
前記受信手段により受信された前記関連コンテンツを、前記取得手段により取得された前記解読情報に基づいて復号する復号手段をさらに備える
ことを特徴とする請求項２７に記載のコンテンツ再生装置。
【請求項２９】
前記受信手段は、暗号化された前記関連コンテンツを受信し、
前記復号手段は、前記解読情報に含まれる鍵情報に基づいて、前記関連コンテンツを復号する
ことを特徴とする請求項２８に記載のコンテンツ再生装置。
【請求項３０】
前記受信手段は、複数の暗号化された前記関連コンテンツを受信し、
前記復号手段は、前記解読情報に含まれる鍵情報に基づいて、複数の前記関連コンテンツをそれぞれ復号し、復号された複数の前記関連コンテンツの一部または全部を用いて、１つまたは複数の関連コンテンツを復元する
ことを特徴とする請求項２８に記載のコンテンツ再生装置。
【請求項３１】
前記要求手段は、前記解読情報に含まれるアドレス情報に基づいて、前記関連コンテンツの配信を要求する
ことを特徴とする請求項２７に記載のコンテンツ再生装置。
【請求項３２】
前記出力手段により出力された前記コンテンツ、および、前記受信手段により受信された前記関連コンテンツを合成する合成手段をさらに備える
ことを特徴とする請求項２７に記載のコンテンツ再生装置。
【請求項３３】
前記解読情報は、前記コンテンツに隠蔽化されている
ことを特徴とする請求項２７に記載のコンテンツ再生装置。
【請求項３４】
前記コンテンツには、少なくとも広告情報が含まれ、
前記解読情報は、前記広告情報に付加されている
ことを特徴とする請求項２７に記載のコンテンツ再生装置。
【請求項３５】
記録メディアに記録されているコンテンツを再生するコンテンツ再生装置のコンテンツ再生方法において、
前記記録メディアに記録されている前記コンテンツを読み出す読み出しステップと、
前記読み出しステップの処理により読み出された前記コンテンツを出力する出力ステップと、
前記出力ステップの処理により出力された前記コンテンツに付加されている前記解読情報を取得する取得ステップと、
前記取得ステップの処理により取得された前記解読情報に基づいて、コンテンツ配信装置に対し、関連コンテンツの配信を要求する要求ステップと、
前記要求ステップの処理による要求に応じて配信されてきた前記関連コンテンツを受信する受信ステップと
を含むことを特徴とするコンテンツ再生方法。
【請求項３６】
記録メディアに記録されているコンテンツを再生するコンテンツ再生装置のコンテンツ再生処理を、コンピュータに行わせるプログラムにおいて、
前記記録メディアに記録されている前記コンテンツを読み出す読み出しステップと、
前記読み出しステップの処理により読み出された前記コンテンツを出力する出力ステップと、
前記出力ステップの処理により出力された前記コンテンツに付加されている前記解読情報を取得する取得ステップと、
前記取得ステップの処理により取得された前記解読情報に基づいて、コンテンツ配信装置に対し、関連コンテンツの配信を要求する要求ステップと、
前記要求ステップの処理による要求に応じて配信されてきた前記関連コンテンツを受信する受信ステップと
を含むことを特徴とするコンピュータが読み取り可能なプログラムが記録されている記録媒体。
【請求項３７】
記録メディアに記録されているコンテンツを再生するコンテンツ再生装置のコンテンツ再生処理を、コンピュータに行わせるプログラムにおいて、
前記記録メディアに記録されている前記コンテンツを読み出す読み出しステップと、
前記読み出しステップの処理により読み出された前記コンテンツを出力する出力ステップと、
前記出力ステップの処理により出力された前記コンテンツに付加されている前記解読情報を取得する取得ステップと、
前記取得ステップの処理により取得された前記解読情報に基づいて、コンテンツ配信装置に対し、関連コンテンツの配信を要求する要求ステップと、
前記要求ステップの処理による要求に応じて配信されてきた前記関連コンテンツを受信する受信ステップと
をコンピュータに実行させることを特徴とするプログラム。
【発明の詳細な説明】
【技術分野】
【０００１】
本発明は、コンテンツ配信システム、コンテンツ配信装置および方法、コンテンツ受信装置および方法、コンテンツ再生装置および方法、記録媒体、並びにプログラムに関し、特に、例えば、コンテンツを使用した場合にのみ、そのコンテンツに隠蔽化された情報に基づいて、関連コンテンツを取得することができるようにしたコンテンツ配信システム、コンテンツ配信装置および方法、コンテンツ受信装置および方法、コンテンツ再生装置および方法、記録媒体、並びにプログラムに関する。
【背景技術】
【０００２】
従来、テレビジョン放送を無料で配信している放送事業者においては、視聴者から視聴料を徴収しているのではなく、広告主（スポンサ）からの広告収入を得ることにより、コンテンツ（いわゆる番組）が制作され、運営されている。また、広告主にとっても、テレビジョン放送は、最大の広告メディアであり、不特定多数の視聴者に対して大きな広告効果が見込める。
【０００３】
一般に、視聴率が高いコンテンツほど広告主から制作費が投入されるため、放送事業者は、質の高いコンテンツを制作することができる。これは、視聴率が高い番組ほど、多数の視聴者がCM（Commercial）を見ているという前提に基づいているものである。換言すれば、CMを見ている視聴者が多い番組ほど、コンテンツ制作費を投入することができる。
【０００４】
ところで、視聴者は、必ずしもリアルタイムで番組を視聴しているわけではなく、ビデオテープに録画した番組を自分の好きな時間に再生させ、視聴している場合もある。しかしながら、番組を、ビデオテープに録画して見ている視聴者より、リアルタイムで見ている視聴者の方が圧倒的に多く、仮に、ビデオテープに録画している視聴者でも、CMをスキップしている人は少ないと考えられていた。これは、ビデオテープの場合、CMをスキップするなどのランダム再生が困難であったためである。
【０００５】
以上のことから、今までは、リアルタイムで番組を見ている視聴者の視聴率のみを考慮してスポンサ料を算出し、それを徴収することで、コンテンツの制作を行うことができた。
【０００６】
近年、HDD（ハードディスクドライブ）レコーダの登場により、番組の視聴有無に拘わらず番組を録画しておき、リアルタイムで視聴するより、番組を録画し、再生して視聴するユーザが増えてきた。また、CMをスキップする操作が比較的容易になってきたため、CMを視聴するユーザが減ってきた。そのため、CMの有効性を懸念することとなり、広告主の番組離れの一因となっている。すなわち、スポンサ離れにより、コンテンツ制作費が減少し、コンテンツの質および量の低下を誘発しかねない状況に陥りつつある。
【０００７】
そこで、例えば、視聴者が意欲的にCMを視聴し、スポンサの宣伝効果を高めることができるようにするために、視聴者がCMを視聴することによりCMポイントが蓄積され、蓄積されたCMポイントに応じて、スポンサからサービスを受けることができるようにしているものがある（例えば、特許文献１参照）。
【０００８】
【特許文献１】特開２００３−４６９８６号公報
【発明の開示】
【発明が解決しようとする課題】
【０００９】
しかしながら、特許文献１の技術では、スポンサが、CMポイントに応じた新たなサービスを提供する必要があり、スポンサ側の負担が大きくなる課題があった。
【００１０】
また、ポイント蓄積という手段によりCMを強制的に視聴させるのではなく、単にCMを視聴した場合にのみ、新たなコンテンツ（例えば、番組のプレゼント情報など）を取得することができるようなシステムは考えられていなかった。
【００１１】
本発明はこのような状況に鑑みてなされたものであり、視聴者がCMを視聴した場合にのみ、コンテンツに埋め込まれた情報に基づいて、新たなコンテンツを取得することができるようなシステムを提供するものである。
【課題を解決するための手段】
【００１２】
本発明のコンテンツ配信システムは、コンテンツ配信装置が、コンテンツに関連する関連コンテンツを記憶する記憶手段と、関連コンテンツを取得するための解読情報を生成する生成手段と、生成手段により生成された解読情報を、コンテンツに付加する付加手段と、付加手段により付加されたコンテンツを配信する第１の配信手段と、コンテンツ受信装置からの要求に応じて、記憶手段に記憶されている関連コンテンツを検索し、配信する第２の配信手段とを備え、コンテンツ受信装置が、コンテンツを受信する第１の受信手段と、第１の受信手段により受信されたコンテンツを出力する出力手段と、出力手段により出力されたコンテンツに付加されている解読情報を取得する取得手段と、取得手段により取得された解読情報に基づいて、関連コンテンツの配信を要求する要求手段と、要求手段による要求に応じて配信されてきた関連コンテンツを受信する第２の受信手段とを備えることを特徴とする。
【００１３】
本発明のコンテンツ配信装置は、コンテンツに関連する関連コンテンツを記憶する記憶手段と、関連コンテンツを取得するための解読情報を生成する生成手段と、生成手段により生成された解読情報を、コンテンツに付加する付加手段と、付加手段により付加されたコンテンツを配信する第１の配信手段と、コンテンツ受信装置からの要求に応じて、記憶手段に記憶されている関連コンテンツを検索し、配信する第２の配信手段とを備えることを特徴とする。
【００１４】
前記生成手段により生成された解読情報に基づいて、関連コンテンツを暗号化する暗号化手段をさらに設けるようにすることができ、記憶手段は、暗号化手段により暗号化された関連コンテンツを記憶するようにすることができる。
【００１５】
前記コンテンツは、複数のコンテンツ領域から構成され、関連コンテンツは、複数の関連コンテンツ領域から構成され、付加手段は、コンテンツ領域の全部、一部、または、所定の領域に分散化して解読情報を付加し、暗号化手段は、関連コンテンツ領域を、コンテンツ領域に付加された解読情報により暗号化するようにすることができる。
【００１６】
前記付加手段は、解読情報をコンテンツに隠蔽化するようにすることができる。
【００１７】
前記コンテンツには、少なくとも広告情報が含まれ、解読情報は、広告情報に付加されるようにすることができる。
【００１８】
前記解読情報には、記憶手段に記憶されている関連コンテンツのアドレス情報、および、関連コンテンツを復号する鍵情報が含まれるようにすることができる。
【００１９】
本発明のコンテンツ配信方法は、コンテンツに関連する関連コンテンツを記憶する記憶ステップと、関連コンテンツを取得するための解読情報を生成する生成ステップと、生成ステップの処理により生成された解読情報を、コンテンツに付加する付加ステップと、付加ステップの処理により付加されたコンテンツを配信する第１の配信ステップと、コンテンツ受信装置からの要求に応じて、記憶ステップの処理により記憶されている関連コンテンツを検索し、配信する第２の配信ステップとを含むことを特徴とする。
【００２０】
本発明の第１の記録媒体に記録されているプログラムは、コンテンツに関連する関連コンテンツを記憶する記憶ステップと、関連コンテンツを取得するための解読情報を生成する生成ステップと、生成ステップの処理により生成された解読情報を、コンテンツに付加する付加ステップと、付加ステップの処理により付加されたコンテンツを配信する第１の配信ステップと、コンテンツ受信装置からの要求に応じて、記憶ステップの処理により記憶されている関連コンテンツを検索し、配信する第２の配信ステップとを含む処理をコンピュータに行わせることを特徴とする。
【００２１】
本発明の第１のプログラムは、コンテンツに関連する関連コンテンツを記憶する記憶ステップと、関連コンテンツを取得するための解読情報を生成する生成ステップと、生成ステップの処理により生成された解読情報を、コンテンツに付加する付加ステップと、付加ステップの処理により付加されたコンテンツを配信する第１の配信ステップと、コンテンツ受信装置からの要求に応じて、記憶ステップの処理により記憶されている関連コンテンツを検索し、配信する第２の配信ステップとを含む処理をコンピュータに行わせることを特徴とする。
【００２２】
本発明のコンテンツ受信装置は、コンテンツ配信装置より配信されてくるコンテンツを受信する第１の受信手段と、第１の受信手段により受信されたコンテンツを出力する出力手段と、出力手段により出力されたコンテンツに付加されている解読情報を取得する取得手段と、取得手段により取得された解読情報に基づいて、コンテンツ配信装置に対し、関連コンテンツの配信を要求する要求手段と、要求手段による要求に応じて配信されてきた関連コンテンツを受信する第２の受信手段とを備えることを特徴とする。
【００２３】
前記第２の受信手段により受信された関連コンテンツを、取得手段により取得された解読情報に基づいて復号する復号手段をさらに設けるようにすることができる。
【００２４】
前記第２の受信手段は、暗号化された関連コンテンツを受信し、復号手段は、解読情報に含まれる鍵情報に基づいて、関連コンテンツを復号するようにすることができる。
【００２５】
前記第２の受信手段は、複数の暗号化された関連コンテンツを受信し、復号手段は、解読情報に含まれる鍵情報に基づいて、複数の関連コンテンツをそれぞれ復号し、復号された複数の関連コンテンツの一部または全部を用いて、１つまたは複数の関連コンテンツを復元するようにすることができる。
【００２６】
前記要求手段は、解読情報に含まれるアドレス情報に基づいて、関連コンテンツの配信を要求するようにすることができる。
【００２７】
前記出力手段により出力されたコンテンツ、および、第２の受信手段により受信された関連コンテンツを合成する合成手段をさらに設けるようにすることができる。
【００２８】
前記第１の受信手段により受信されたコンテンツ、および、第２の受信手段により受信された関連コンテンツを記録する記録手段と、記録手段に記録されているコンテンツを再生する再生手段とをさらに設けるようにすることができ、取得手段は、再生手段により再生されたコンテンツに付加されている解読情報を取得し、要求手段は、取得手段により取得された解読情報に基づいて、関連コンテンツの配信を要求し、第２の受信手段は、要求手段による要求に応じて配信されてきた関連コンテンツを受信するようにすることができる。
【００２９】
前記再生手段により再生されたコンテンツ、および、第２の受信手段により受信された関連コンテンツを合成する合成手段をさらに設けるようにすることができる。
【００３０】
前記記録手段に、解読情報に対応する関連コンテンツが既に記録されているか否かを判定する判定手段をさらに設けるようにすることができ、判定手段により、関連コンテンツが既に記録されていると判定された場合、要求手段は、関連コンテンツの配信要求を行わないようにすることができる。
【００３１】
前記判定手段は、解読情報に対応する関連コンテンツが既に記録されていると判定した場合、既に記録されている関連コンテンツより、新しい関連コンテンツを取得することが可能であるか否かをさらに判定するようにすることができる。
【００３２】
前記判定手段により、新しい関連コンテンツを取得することが可能であると判定された場合、要求手段は、解読情報に基づいて、新しい関連コンテンツの配信を要求し、第２の受信手段は、要求手段による要求に応じて配信されてきた新しい関連コンテンツを受信し、記録手段は、既に記録されている関連コンテンツから、第２の受信手段により受信された新しい関連コンテンツに更新するようにすることができる。
【００３３】
前記解読情報は、コンテンツに隠蔽化されているようにすることができる。
【００３４】
前記コンテンツには、少なくとも広告情報が含まれ、解読情報は、広告情報に付加されているようにすることができる。
【００３５】
本発明のコンテンツ受信方法は、コンテンツ配信装置より配信されてくるコンテンツを受信する第１の受信ステップと、第１の受信ステップの処理により受信されたコンテンツを出力する出力ステップと、出力ステップの処理により出力されたコンテンツに付加されている解読情報を取得する取得ステップと、取得ステップの処理により取得された解読情報に基づいて、コンテンツ配信装置に対し、関連コンテンツの配信を要求する要求ステップと、要求ステップの処理による要求に応じて配信されてきた関連コンテンツを受信する第２の受信ステップとを含むことを特徴とする。
【００３６】
本発明の第２の記録媒体に記録されているプログラムは、コンテンツ配信装置より配信されてくるコンテンツを受信する第１の受信ステップと、第１の受信ステップの処理により受信されたコンテンツを出力する出力ステップと、出力ステップの処理により出力されたコンテンツに付加されている解読情報を取得する取得ステップと、取得ステップの処理により取得された解読情報に基づいて、コンテンツ配信装置に対し、関連コンテンツの配信を要求する要求ステップと、要求ステップの処理による要求に応じて配信されてきた関連コンテンツを受信する第２の受信ステップとを含む処理をコンピュータに行わせることを特徴とする。
【００３７】
本発明の第２のプログラムは、コンテンツ配信装置より配信されてくるコンテンツを受信する第１の受信ステップと、第１の受信ステップの処理により受信されたコンテンツを出力する出力ステップと、出力ステップの処理により出力されたコンテンツに付加されている解読情報を取得する取得ステップと、取得ステップの処理により取得された解読情報に基づいて、コンテンツ配信装置に対し、関連コンテンツの配信を要求する要求ステップと、要求ステップの処理による要求に応じて配信されてきた関連コンテンツを受信する第２の受信ステップとを含む処理をコンピュータに行わせることを特徴とする。
【００３８】
本発明のコンテンツ再生装置は、記録メディアに記録されているコンテンツを読み出す読み出し手段と、読み出し手段により読み出されたコンテンツを出力する出力手段と、出力手段により出力されたコンテンツに付加されている解読情報を取得する取得手段と、取得手段により取得された解読情報に基づいて、コンテンツ配信装置に対し、関連コンテンツの配信を要求する要求手段と、要求手段による要求に応じて配信されてきた関連コンテンツを受信する受信手段とを備えることを特徴とする。
【００３９】
前記受信手段により受信された関連コンテンツを、取得手段により取得された解読情報に基づいて復号する復号手段をさらに設けるようにすることができる。
【００４０】
前記受信手段は、暗号化された関連コンテンツを受信し、復号手段は、解読情報に含まれる鍵情報に基づいて、関連コンテンツを復号するようにすることができる。
【００４１】
前記受信手段は、複数の暗号化された関連コンテンツを受信し、復号手段は、解読情報に含まれる鍵情報に基づいて、複数の関連コンテンツをそれぞれ復号し、復号された複数の関連コンテンツの一部または全部を用いて、１つまたは複数の関連コンテンツを復元するようにすることができる。
【００４２】
前記要求手段は、解読情報に含まれるアドレス情報に基づいて、関連コンテンツの配信を要求するようにすることができる。
【００４３】
前記出力手段により出力されたコンテンツ、および、受信手段により受信された関連コンテンツを合成する合成手段をさらに設けるようにすることができる。
【００４４】
前記解読情報は、コンテンツに隠蔽化されているようにすることができる。
【００４５】
前記コンテンツには、少なくとも広告情報が含まれ、解読情報は、広告情報に付加されているようにすることができる。
【００４６】
本発明のコンテンツ再生方法は、記録メディアに記録されているコンテンツを読み出す読み出しステップと、読み出しステップの処理により読み出されたコンテンツを出力する出力ステップと、出力ステップの処理により出力されたコンテンツに付加されている解読情報を取得する取得ステップと、取得ステップの処理により取得された解読情報に基づいて、コンテンツ配信装置に対し、関連コンテンツの配信を要求する要求ステップと、要求ステップの処理による要求に応じて配信されてきた関連コンテンツを受信する受信ステップとを含むことを特徴とする。
【００４７】
本発明の第３の記録媒体に記録されているプログラムは、記録メディアに記録されているコンテンツを読み出す読み出しステップと、読み出しステップの処理により読み出されたコンテンツを出力する出力ステップと、出力ステップの処理により出力されたコンテンツに付加されている解読情報を取得する取得ステップと、取得ステップの処理により取得された解読情報に基づいて、コンテンツ配信装置に対し、関連コンテンツの配信を要求する要求ステップと、要求ステップの処理による要求に応じて配信されてきた関連コンテンツを受信する受信ステップとを含む処理をコンピュータに行わせることを特徴とする。
【００４８】
本発明の第３のプログラムは、記録メディアに記録されているコンテンツを読み出す読み出しステップと、読み出しステップの処理により読み出されたコンテンツを出力する出力ステップと、出力ステップの処理により出力されたコンテンツに付加されている解読情報を取得する取得ステップと、取得ステップの処理により取得された解読情報に基づいて、コンテンツ配信装置に対し、関連コンテンツの配信を要求する要求ステップと、要求ステップの処理による要求に応じて配信されてきた関連コンテンツを受信する受信ステップとを含む処理をコンピュータに行わせることを特徴とする。
【００４９】
第１の本発明においては、コンテンツ配信装置で、関連コンテンツを取得するための解読情報が生成され、その解読情報がコンテンツに付加されて配信され、コンテンツ受信装置からの要求に応じて、記憶されている関連コンテンツが配信され、コンテンツ受信装置で、コンテンツが受信されて出力され、出力されたコンテンツに付加されている解読情報に基づいて関連コンテンツの配信が要求され、その要求に応じて配信されてきた関連コンテンツが受信される。
【００５０】
第２の本発明においては、関連コンテンツを取得するための解読情報が生成され、その解読情報がコンテンツに付加されて配信され、コンテンツ受信装置からの要求に応じて、記憶されている関連コンテンツが検索されて配信される。
【００５１】
第３の本発明においては、コンテンツが受信されて出力され、出力されたコンテンツに付加されている解読情報に基づいて、コンテンツ配信装置に対し、関連コンテンツの配信が要求され、その要求に応じて配信されてきた関連コンテンツが受信される。
【００５２】
第４の本発明においては、記録メディアに記録されているコンテンツが読み出されて出力され、出力されたコンテンツに付加されている解読情報に基づいて、コンテンツ配信装置に対し、関連コンテンツの配信が要求され、その要求に応じて配信されてきた関連コンテンツが受信される。
【発明の効果】
【００５３】
本発明によれば、配信するコンテンツに他のコンテンツを取得するための情報を埋め込むことができる。特に、コンテンツを正常に再生した場合にのみ、コンテンツに隠蔽化された情報を取得することができ、その情報に基づいて、コンテンツに連動した他のコンテンツを取得することが可能となる。
【発明を実施するための最良の形態】
【００５４】
以下に本発明を実施するための最良の形態を説明するが、明細書中に記載の発明と、実施の形態との対応関係を例示すると、次のようになる。明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００５５】
さらに、この記載は、明細書に記載されている実施の形態に対応するすべての発明が、記載されていることを意味するものではない。換言すれば、この記載は、明細書に記載されている他の発明の存在、すなわち、将来、分割出願されたり、補正により出現、追加される発明の存在を否定するものではない。
【００５６】
請求項１に記載のコンテンツ配信システム（例えば、図１の配信システム１）は、コンテンツ配信装置（例えば、図１のコンテンツ提供装置１１および配信装置１２）が、コンテンツに関連する関連コンテンツを記憶する記憶手段（例えば、図４のステップＳ６の処理を実行する図２の記憶部４１）と、関連コンテンツを取得するための解読情報を生成する生成手段（例えば、図４のステップＳ４の処理を実行する図２の鍵情報生成部２２、および、図４のステップＳ７の処理を実行する図２の格納アドレス取得部２４）と、生成手段により生成された解読情報を、コンテンツに付加する付加手段（例えば、図４のステップＳ８の処理を実行する図２の解読情報付加部２５）と、付加手段により付加されたコンテンツを配信する第１の配信手段（例えば、図４のステップＳ１０の処理を実行する図２の制御部２７）と、コンテンツ受信装置からの要求に応じて、記憶手段に記憶されている関連コンテンツを検索し、配信する第２の配信手段（例えば、図６のステップＳ４２，Ｓ４３の処理を実行する図２の制御部４２）とを備え、コンテンツ受信装置（例えば、図１のテレビジョン受像機１４または録画装置１５）が、コンテンツを受信する第１の受信手段（例えば、図５のステップＳ２１の処理を実行する図２のアンテナ５１、または、図７のステップＳ５１の処理を実行する図２のアンテナ８１）と、第１の受信手段により受信されたコンテンツを出力する出力手段（例えば、図５のステップＳ２４の処理を実行する図２の画像処理部７１および出力部７２、または、図７のＳ５４の処理を実行する図２の画像処理部９１および出力部９２）と、出力手段により出力されたコンテンツに付加されている解読情報を取得する取得手段（例えば、図５のステップＳ２５の処理を実行する図２の解読情報取得部５５、または、図８のＳ６４の処理を実行する図２の解読情報取得部８５）と、取得手段により取得された解読情報に基づいて、関連コンテンツの配信を要求する要求手段（例えば、図５のステップＳ２６の処理を実行する図２の関連コンテンツ要求部５６、または、図８のＳ６７の処理を実行する図２の関連コンテンツ要求部８６）と、要求手段による要求に応じて配信されてきた関連コンテンツを受信する第２の受信手段（例えば、図５のステップＳ２７の処理を実行する図２の外部入力部５７、または、図８のステップＳ６８の処理を実行する図２の外部入力部８７）とを備えることを特徴とする。
【００５７】
請求項２に記載のコンテンツ配信装置（例えば、図１のコンテンツ提供装置１１および配信装置１２）は、コンテンツに関連する関連コンテンツを記憶する記憶手段（例えば、図４のステップＳ６の処理を実行する図２の記憶部４１）と、関連コンテンツを取得するための解読情報を生成する生成手段（例えば、図４のステップＳ４の処理を実行する図２の鍵情報生成部２２、および、図４のステップＳ７の処理を実行する図２の格納アドレス取得部２４）と、生成手段により生成された解読情報を、コンテンツに付加する付加手段（例えば、図４のステップＳ８の処理を実行する図２の解読情報付加部２５）と、付加手段により付加されたコンテンツを配信する第１の配信手段（例えば、図４のステップＳ１０の処理を実行する図２の制御部２７）と、コンテンツ受信装置からの要求に応じて、記憶手段に記憶されている関連コンテンツを検索し、配信する第２の配信手段（例えば、図６のステップＳ４２，Ｓ４３の処理を実行する図２の制御部４２）とを備えることを特徴とする。
【００５８】
請求項３に記載のコンテンツ配信装置は、生成手段により生成された解読情報に基づいて、関連コンテンツを暗号化する暗号化手段（例えば、図４のステップＳ５の処理を実行する図２の暗号化部２３）をさらに備え、記憶手段は、暗号化手段により暗号化された関連コンテンツを記憶することを特徴とする。
【００５９】
請求項８に記載のコンテンツ配信方法は、コンテンツに関連する関連コンテンツを記憶する記憶ステップ（例えば、図４のステップＳ６）と、関連コンテンツを取得するための解読情報を生成する生成ステップ（例えば、図４のステップＳ４，Ｓ７）と、生成ステップの処理により生成された解読情報を、コンテンツに付加する付加ステップ（例えば、図４のステップＳ８）と、付加ステップの処理により付加されたコンテンツを配信する第１の配信ステップ（例えば、図４のステップＳ１０）と、コンテンツ受信装置からの要求に応じて、記憶ステップの処理により記憶されている関連コンテンツを検索し、配信する第２の配信ステップ（例えば、図６のステップＳ４２，Ｓ４３）とを含むことを特徴とする。
【００６０】
請求項１１に記載のコンテンツ受信装置（例えば、図１のテレビジョン受像機１４または録画装置１５）は、コンテンツ配信装置より配信されてくるコンテンツを受信する第１の受信手段（例えば、図５のステップＳ２１の処理を実行する図２のアンテナ５１、または、図７のステップＳ５１の処理を実行する図２のアンテナ８１）と、第１の受信手段により受信されたコンテンツを出力する出力手段（例えば、図５のステップＳ２４の処理を実行する図２の画像処理部７１および出力部７２、または、図７のＳ５４の処理を実行する図２の画像処理部９１および出力部９２）と、出力手段により出力されたコンテンツに付加されている解読情報を取得する取得手段（例えば、図５のステップＳ２５の処理を実行する図２の解読情報取得部５５、または、図８のＳ６４の処理を実行する図２の解読情報取得部８５）と、取得手段により取得された解読情報に基づいて、コンテンツ配信装置に対し、関連コンテンツの配信を要求する要求手段（例えば、図５のステップＳ２６の処理を実行する図２の関連コンテンツ要求部５６、または、図８のＳ６７の処理を実行する図２の関連コンテンツ要求部８６）と、要求手段による要求に応じて配信されてきた関連コンテンツを受信する第２の受信手段（例えば、図５のステップＳ２７の処理を実行する図２の外部入力部５７、または、図８のステップＳ６８の処理を実行する図２の外部入力部８７）とを備えることを特徴とする。
【００６１】
請求項１２に記載のコンテンツ受信装置は、第２の受信手段により受信された関連コンテンツを、取得手段により取得された解読情報に基づいて復号する復号手段（例えば、図５のステップＳ２７の処理を実行する図２の復号部５８、または、図７のステップＳ６８の処理を実行する図２の復号部８８）をさらに備えることを特徴とする。
【００６２】
請求項１６に記載のコンテンツ受信装置は、出力手段により出力されたコンテンツ、および、第２の受信手段により受信された関連コンテンツを合成する合成手段（例えば、図５のステップＳ２８の処理を実行する図２の合成部７３、または、図８のステップＳ７０の処理を実行する図２の合成部９６）をさらに備えることを特徴とする。
【００６３】
請求項１７に記載のコンテンツ受信装置は、第１の受信手段により受信されたコンテンツ、および、第２の受信手段により受信された関連コンテンツを記録する記録手段（例えば、図７のステップＳ５６、および、図８のステップＳ７１の処理を実行する図２の記録部９３）と、記録手段に記録されているコンテンツを再生する再生手段（例えば、図８のステップＳ６２の処理を実行する図２の再生部９５）とをさらに備え、取得手段は、再生手段により再生されたコンテンツに付加されている解読情報を取得し、要求手段は、取得手段により取得された解読情報に基づいて、関連コンテンツの配信を要求し、第２の受信手段は、要求手段による要求に応じて配信されてきた関連コンテンツを受信することを特徴とする。
【００６４】
請求項１９に記載のコンテンツ受信装置は、記録手段に、解読情報に対応する関連コンテンツが既に記録されているか否かを判定する判定手段（例えば、図８のステップＳ６５の処理を実行する図２の解読情報取得部８５）をさらに備え、判定手段により、関連コンテンツが既に記録されていると判定された場合、要求手段は、関連コンテンツの配信要求を行わないことを特徴とする。
【００６５】
請求項２４に記載のコンテンツ受信方法は、コンテンツ配信装置より配信されてくるコンテンツを受信する第１の受信ステップ（例えば、図５のステップＳ２１または図７のステップＳ５１）と、第１の受信ステップの処理により受信されたコンテンツを出力する出力ステップ（例えば、図５のステップＳ２４または図７のＳ５４）と、出力ステップの処理により出力されたコンテンツに付加されている解読情報を取得する取得ステップ（例えば、図５のステップＳ２５または図８のＳ６４）と、取得ステップの処理により取得された解読情報に基づいて、コンテンツ配信装置に対し、関連コンテンツの配信を要求する要求ステップ（例えば、図５のステップＳ２６または図８のＳ６７）と、要求ステップの処理による要求に応じて配信されてきた関連コンテンツを受信する第２の受信ステップ（例えば、図５のステップＳ２７または図８のステップＳ６８）とを含むことを特徴とする。
【００６６】
請求項２７に記載のコンテンツ再生装置（例えば、図１のテレビジョン受像機１４）は、記録メディア（例えば、図２のメディア６０）に記録されているコンテンツを読み出す読み出し手段（図９のステップＳ８２の処理を実行する図２の画像処理部７１）と、読み出し手段により読み出されたコンテンツを出力する出力手段（例えば、ステップＳ８３の処理を実行する図２の画像処理部７１および出力部７２）と、出力手段により出力されたコンテンツに付加されている解読情報を取得する取得手段（例えば、図９のステップＳ８４の処理を実行する図２の解読情報取得部５５）と、取得手段により取得された解読情報に基づいて、コンテンツ配信装置に対し、関連コンテンツの配信を要求する要求手段（例えば、図９のステップＳ８５の処理を実行する図２の関連コンテンツ要求部５６）と、要求手段による要求に応じて配信されてきた関連コンテンツを受信する受信手段（例えば、図９のステップＳ８６の処理を実行する図２の外部入力部５７）とを備えることを特徴とする。
【００６７】
請求項２８に記載のコンテンツ再生装置は、受信手段により受信された関連コンテンツを、取得手段により取得された解読情報に基づいて復号する復号手段（例えば、図９のステップＳ８６の処理を実行する図２の復号部５８）をさらに備えることを特徴とする。
【００６８】
請求項３２に記載のコンテンツ再生装置は、出力手段により出力されたコンテンツ、および、受信手段により受信された関連コンテンツを合成する合成手段（例えば、図９のステップＳ８７の処理を実行する図２の合成部７３）をさらに備えることを特徴とする。
【００６９】
請求項３５に記載のコンテンツ再生方法は、記録メディアに記録されているコンテンツを読み出す読み出しステップ（図９のステップＳ８２）と、読み出しステップの処理により読み出されたコンテンツを出力する出力ステップ（例えば、ステップＳ８３）と、出力ステップの処理により出力されたコンテンツに付加されている解読情報を取得する取得ステップ（例えば、図９のステップＳ８４）と、取得ステップの処理により取得された解読情報に基づいて、コンテンツ配信装置に対し、関連コンテンツの配信を要求する要求ステップ（例えば、図９のステップＳ８５）と、要求ステップの処理による要求に応じて配信されてきた関連コンテンツを受信する受信ステップ（例えば、図９のステップＳ８６）とを含むことを特徴とする。
【００７０】
なお、請求項９に記載の記録媒体に記録されているプログラム、および請求項１０に記載のプログラムにおいても、各ステップが対応する実施の形態（但し一例）は、請求項８に記載のコンテンツ配信方法と同様であり、請求項２５に記載の記録媒体に記録されているプログラム、および請求項２６に記載のプログラムにおいても、各ステップが対応する実施の形態（但し一例）は、請求項２４に記載のコンテンツ受信方法と同様であり、請求項３６に記載の記録媒体に記録されているプログラム、および請求項３７に記載のプログラムにおいても、各ステップが対応する実施の形態（但し一例）は、請求項３５に記載のコンテンツ再生方法と同様である。
【００７１】
以下に、本発明の実施の形態について図面を参照して説明する。
【００７２】
図１は、本発明を適用した配信システム１の一実施の形態の構成例を示す図である。この配信システム１においては、インターネットなどのネットワーク１３を介して、コンテンツ提供装置１１、配信装置１２、テレビジョン受像機１４、および録画装置１５が相互に接続されている。
【００７３】
コンテンツ提供装置１１は、広告主１６から提供された広告情報（CM）を挿入した放送コンテンツ（いわゆる番組）を制作するとともに、その放送コンテンツが視聴された場合に新たに提供する関連コンテンツを制作する。また、コンテンツ提供装置１１は、制作された関連コンテンツを暗号化した後、配信装置１２に、直接、または、ネットワーク１３を介して供給する。さらに、コンテンツ提供装置１１は、その関連コンテンツを取得するための解読情報を生成し、生成された解読情報を放送コンテンツに隠蔽化した後、テレビジョン受像機１４および録画装置１５に配信する。
【００７４】
ここで、解読情報には、暗号化されている関連コンテンツを復号するための鍵情報、および、関連コンテンツの配信装置１２における格納先に関する情報（以下、格納アドレス情報と称する）などが含まれており、これらは、視聴可能な形態以外の情報（例えば、電子透かし情報など）とされる。
【００７５】
配信装置１２は、コンテンツ提供装置１１から供給された関連コンテンツを格納するとともに、テレビジョン受像機１４または録画装置１５からの要求に応じて、所定の関連コンテンツを読み出し、ネットワーク１３を介して配信する。
【００７６】
テレビジョン受像機１４は、コンテンツ提供装置１１から配信されてきた放送コンテンツを受信し、再生する。また、テレビジョン受像機１４は、CMを含む放送コンテンツが正常に再生された場合に、そのコンテンツに隠蔽化されている解読情報を取得することができ、その解読情報に基づいて、ネットワーク１３を介して配信装置１２に対し、関連コンテンツの配信を要求する。さらに、テレビジョン受像機１４は、配信装置１２からネットワーク１３を介して配信されてきた関連コンテンツを受信し、先に取得した解読情報に含まれる鍵情報に基づいて、関連コンテンツを復号し、再生する。
【００７７】
録画装置１５は、例えば、HDDレコーダなどで構成され、コンテンツ提供装置１１から配信されてきた放送コンテンツを受信し、録画する。ユーザにより再生が指示されると、録画装置１５は、録画したコンテンツを読み出して、それをテレビジョン受像機１４に供給し、再生させる。また、録画装置１５は、CMを含む放送コンテンツが正常に再生された場合に、そのコンテンツに隠蔽化されている解読情報を取得することができ、その解読情報に基づいて、ネットワーク１３を介して配信装置１２に対し、関連コンテンツの配信を要求する。さらに、録画装置１５は、配信装置１２からネットワーク１３を介して配信されてきた関連コンテンツを受信し、先に取得した解読情報に含まれる鍵情報に基づいて、関連コンテンツを復号して、それをテレビジョン受像機１４に供給し、再生させる。
【００７８】
図２は、配信システム１の内部の構成例を示すブロック図である。
【００７９】
コンテンツ提供装置１１は、コンテンツ制作部２１、鍵情報生成部２２、暗号化部２３、格納アドレス取得部２４、解読情報付加部２５、記憶部２６、制御部２７、および送信部２８により構成される。
【００８０】
コンテンツ制作部２１は、コンテンツ（番組）に、広告主１６から提供された広告情報（CM）を挿入した放送コンテンツを制作するとともに、その放送コンテンツが視聴された場合に新たに提供するための、放送コンテンツに連動した関連コンテンツを制作する。鍵情報生成部２２は、コンテンツ制作部２１において制作された関連コンテンツを暗号化するための鍵情報を生成し、それを暗号化部２３および解読情報付加部２５にそれぞれ供給する。
【００８１】
暗号化部２３は、コンテンツ制作部２１において制作された関連コンテンツを、鍵情報生成部２２から供給された鍵情報を用いて暗号化し、暗号化された関連コンテンツを配信装置１２に供給する。格納アドレス取得部２４は、暗号化された関連コンテンツの配信装置１２の記憶部４１における格納アドレス情報を取得し、それを解読情報付加部２５に供給する。
【００８２】
解読情報付加部２５は、鍵情報生成部２２から供給された鍵情報、および、格納アドレス取得部２４から供給された格納アドレス情報を解読情報（Watermark）として放送コンテンツに隠蔽化し、編集済みコンテンツとして記憶部２６に記憶させる。制御部２７は、記憶部２６に記憶されている編集済みコンテンツを読み出し、送信部２８を介して配信する。なお、コンテンツに解読情報を隠蔽化する処理の詳細は、図３を参照して後述する。
【００８３】
配信装置１２は、記憶部４１、制御部４２、および送受信部４３により構成される。
【００８４】
記憶部４１には、コンテンツ提供装置１１から供給された、暗号化された関連コンテンツが格納されている。制御部４２は、送受信部４３から供給された関連コンテンツの配信要求に含まれる格納アドレス情報に基づいて、記憶部４１に格納されている所定の関連コンテンツを読み出し、送受信部４３に供給する。送受信部４３は、ネットワーク１３を介してテレビジョン受像機１４または録画装置１５から送信されてきた、関連コンテンツの配信要求を受信し、制御部４２に供給する。また、送受信部４３は、制御部４２から供給された関連コンテンツを、ネットワーク１３を介してテレビジョン受像機１４または録画装置１５に配信する。
【００８５】
テレビジョン受像機１４は、アンテナ５１、チューナ５２、復調部５３、使用部５４、解読情報取得部５５、関連コンテンツ要求部５６、外部入力部５７、復号部５８、およびドライブ５９により構成され、さらに使用部５４は、画像処理部７１、出力部７２、および合成部７３により構成される。
【００８６】
アンテナ５１は、配信されてきた放送コンテンツを受信する。チューナ５２は、アンテナ５１で受信された放送コンテンツをチューニングし、所定のチャンネルの受信波を選択する。復調部５３は、チューナ５１で選択された所定のチャンネルの受信波を復調する。画像処理部７１は、復調部５３で復調されたデータに対し、所定の画像処理を施す。出力部７２は、画像処理部７１で所定の画像処理が施されたデータから出力データを生成する。
【００８７】
解読情報取得部５５は、出力部７２で生成された出力データから解読情報を取得し、解読情報に含まれる格納アドレス情報を関連コンテンツ要求部５６に供給するとともに、解読情報に含まれる鍵情報を復号部５８に供給する。
【００８８】
関連コンテンツ要求部５６は、解読情報取得部５５から供給された格納アドレス情報に基づいて、ネットワーク１３を介して配信装置１２に対し、関連コンテンツの配信を要求する。外部入力部５７は、関連コンテンツ要求部５６の配信要求に応じて、配信装置１２よりネットワーク１３を介して配信されてきた関連コンテンツを受信する。復号部５８は、解読情報取得部５５から供給された鍵情報を用いて、外部入力部５７で受信された関連コンテンツを復号する。
【００８９】
合成部７３は、出力部７２で生成された出力データ（すなわち、通常に配信されてくる放送コンテンツ）、および、復号部５８で復号されたデータ（すなわち、放送コンテンツに連動する、新たに取得した関連コンテンツ）を合成（重畳）し、ディスプレイやスピーカなどに出力する。
【００９０】
ドライブ５９には、必要に応じてメディア６０が適宜装着され、メディア６０から読み出された録画コンテンツが使用部５４に供給されて再生されるか、あるいは、使用部５４から出力されたデータがメディア６０に記録される。
【００９１】
録画装置１５は、アンテナ８１、チューナ８２、復調部８３、使用部８４、解読情報取得部８５、関連コンテンツ要求部８６、外部入力部８７、および復号部８８により構成され、さらに使用部８４は、画像処理部９１、出力部９２、記録部９３、HDD９４、再生部９５、および合成部９６により構成される。
【００９２】
アンテナ８１乃至復調部８３、および、解読情報取得部８５乃至復号部８８は、テレビジョン受像機１４のアンテナ５１乃至復調部５３、および、解読情報取得部５５乃至復号部５８と、それぞれ同様の構成を有するため、その説明は省略する。
【００９３】
画像処理部９１は、復調部８３で復調されたデータに対し、所定の画像処理を施す。出力部９２は、画像処理部９１で所定の画像処理が施されたデータから出力データを生成する。記録部９３は、出力部９２で生成された出力データに対して所定の圧縮処理を施し、録画データとしてHDD９４に保存（録画）させる。再生部９５は、HDD９４に保存されている録画データを読み出して再生し、再生データに対して所定の伸張処理を施す。
【００９４】
合成部９６は、再生部９５で伸張された再生データ（すなわち、通常に配信されてくる放送コンテンツ）、および、復号部８８で復号されたデータ（すなわち、放送コンテンツに連動する、新たに取得した関連コンテンツ）を合成（重畳）し、ディスプレイやスピーカなどに出力する。復号部８８は、復号したデータを、記録部９３を介してHDD９４に供給し、そこに保存させる。なお、テレビジョン受像機１４と同様に、録画装置１５の出力部９２で生成された出力データは、圧縮および保存せず、合成部９６において、復号部８８からの出力と直接合成するようにしても良い。
【００９５】
次に、図３を参照して、コンテンツに解読情報を隠蔽化する処理の詳細について説明する。
【００９６】
図３Ａは、コンテンツA1乃至A4の間に、それぞれ、広告情報CMA1乃至CMA3が挿入されている様子を模式的に示している。コンテンツA1の領域には、解読情報WMA1が隠蔽化され、広告情報CMA1の領域には、解読情報WMA1'が隠蔽化されている。
【００９７】
解読情報WMA1および解読情報WMA1'は、全く同じ情報であってもよいし、あるいは、解読情報WMA1＋解読情報WMA1'により、真の解読情報が得られるようにしてもよい。このことは、図３Ｂおよび図３Ｃの解読情報においても同様とする。ここでは、解読情報WMA1＝解読情報WMA1'であるものとして、以下に説明する（なお、図３Ｂおよび図３Ｃの解読情報においても同様とする）。
【００９８】
配信装置１１のコンテンツ制作部２１は、コンテンツA1乃至A4に連動した関連コンテンツA1'を制作し、暗号化部２３に供給する。鍵情報生成部２２は、関連コンテンツA1'を暗号化するための鍵情報KeyA1を生成する。暗号化部２３は、関連コンテンツA1'を鍵情報KeyA1で暗号化し、配信装置１２の記憶部４１に格納させる。格納アドレス取得部２４は、関連コンテンツA1'の記憶部４１における格納アドレス情報URLA1を取得する。解読情報付加部２５は、鍵情報生成部２２で生成された鍵情報KeyA1、および、格納アドレス取得部２４で取得された格納アドレス情報URLA1から解読情報WMA1を生成する。この解読情報WMA1は、次式（１）で表される。
WMA1＝URLA1＋KeyA1                                                ・・・（１）
【００９９】
そして、解読情報付加部２５は、解読情報WMA1をコンテンツA1および広告情報CMA1にそれぞれ隠蔽化した後、編集済みコンテンツとして記憶部２６に記憶させる。その後、制御部２７は、編集済みコンテンツを記憶部２６から読み出し、送信部２８を介して配信する。
【０１００】
このコンテンツを受信したテレビジョン受像機１４の解読情報取得部５５は、アンテナ５１、チューナ５２、復調部５３、画像処理部７１、および出力部７２を介して出力された出力データから解読情報を取得し、格納アドレス情報URLA1を関連コンテンツ要求部５６に供給するとともに、鍵情報KeyA1を復号部５８に供給する。
【０１０１】
関連コンテンツ要求部５６は、格納アドレス情報URLA1に基づいて、配信装置１２に対し、関連コンテンツの配信を要求する。この要求を受信した配信装置１２の制御部４２は、格納アドレス情報URLA1に格納されている関連コンテンツA1'を記憶部４１から取得し、送受信部４３を介してテレビジョン受像機１４に配信する。
【０１０２】
テレビジョン受像機１４の復号部５８は、外部入力部５７で受信された関連コンテンツA1'を、鍵情報KeyA1を用いて復号する。合成部７３は、出力部７２から出力されたコンテンツA1乃至A4に、復号部５８で復号された関連コンテンツA1'を合成して出力する。
【０１０３】
なお、格納アドレス情報URLA1は、実際のURL（例えば、http://www.xxx.xxx/）でもよいし、そのサイズが大きくならないように、「000001」といった番号情報などでもよいし、あるいは、それらの組合せ（例えば、http://www.xxx.xxx/000001）などでもよい。
【０１０４】
図３Ｂは、コンテンツB1乃至B4の間に、それぞれ、広告情報CMB1乃至CMB3が挿入されている様子を模式的に示している。コンテンツB1乃至B4の各領域には、それぞれ、解読情報WMB1乃至WMB4が隠蔽化され、広告情報CMB1乃至CMB3の各領域には、それぞれ、解読情報WMB1'乃至WMB3'が隠蔽化されている。
【０１０５】
配信装置１１のコンテンツ制作部２１は、コンテンツB1乃至B4に連動した関連コンテンツB1'を制作し、暗号化部２３に供給する。鍵情報生成部２２は、関連コンテンツB1'を暗号化するための鍵情報KeyB1乃至KeyB4を生成する。暗号化部２３は、関連コンテンツB1'を鍵情報KeyB1乃至KeyB4で暗号化し、配信装置１２の記憶部４１に格納させる。格納アドレス取得部２４は、関連コンテンツB1'の記憶部４１における格納アドレス情報URLBを取得し、それをURLB1乃至URLB4に分割する。例えば、格納アドレス情報URLB＝「000001」を、URLB1＝「00」、URLB2＝「00」、URLB3＝「00」、URLB4＝「01」に分割することで、図３Ａで説明した格納アドレス情報URLA1と同じアドレスを実現することができる。
【０１０６】
解読情報付加部２５は、鍵情報生成部２２で生成された鍵情報KeyB1乃至KeyB4、および、格納アドレス取得部２４で取得された格納アドレス情報URLB1乃至URLB4から、解読情報WMB1乃至WMB4をそれぞれ生成する。この解読情報WMB1乃至WMB4は、次式（２）乃至（５）で表される。
WMB1＝URLB1＋KeyB1                                                ・・・（２）
WMB2＝URLB2＋KeyB2                                                ・・・（３）
WMB3＝URLB3＋KeyB3                                                ・・・（４）
WMB4＝URLB4＋KeyB4                                                ・・・（５）
【０１０７】
そして、解読情報付加部２５は、解読情報WMB1乃至WMB4をコンテンツB1乃至B4、および広告情報CMB1乃至CMB3にそれぞれ隠蔽化した後、編集済みコンテンツとして記憶部２６に記憶させる。その後、制御部２７は、編集済みコンテンツを記憶部２６から読み出し、送信部２８を介して配信する。
【０１０８】
このコンテンツを受信したテレビジョン受像機１４の解読情報取得部５５は、アンテナ５１、チューナ５２、復調部５３、画像処理部７１、および出力部７２を介して出力された出力データから解読情報を取得し、格納アドレス情報URLB1乃至URLB4を結合して関連コンテンツ要求部５６に供給するとともに、鍵情報KeyB1乃至KeyB4を復元して復号部５８に供給する。ここで、鍵情報の復元には、例えば、Exclusive-OR（イクスクルーシブオア）回路を用いて排他的論理和の演算結果から、あるいは、各鍵情報KeyB1乃至KeyB4が連結されることにより、鍵情報KeyBが得られる。
【０１０９】
関連コンテンツ要求部５６は、格納アドレス情報URLB（＝URLB1+URLB2+URLB3+URLB4）に基づいて、配信装置１２に対し、関連コンテンツの配信を要求する。この要求を受信した配信装置１２の制御部４２は、格納アドレス情報URLBに格納されている関連コンテンツB1'を記憶部４１から取得し、送受信部４３を介してテレビジョン受像機１４に配信する。
【０１１０】
テレビジョン受像機１４の復号部５８は、外部入力部５７で受信された関連コンテンツB1'を、復元された鍵情報KeyB（＝KeyB1+KeyB2+KeyB3+KeyB4）を用いて復号する。合成部７３は、出力部７２から出力されたコンテンツB1乃至B4に、復号部５８で復号された関連コンテンツB1'を合成して出力する。
【０１１１】
図３Ｃは、コンテンツC1乃至C4の間に、それぞれ、広告情報CMC1乃至CMC3が挿入されている様子を模式的に示している。コンテンツC1乃至C4の各領域には、それぞれ、解読情報WMC1乃至WMC4が隠蔽化され、広告情報CMC1乃至CMC3の各領域には、それぞれ、解読情報WMC1'乃至WMC3'が隠蔽化されている。
【０１１２】
配信装置１１のコンテンツ制作部２１は、コンテンツC1乃至C4に連動した関連コンテンツC1'乃至C4'を制作し、暗号化部２３に供給する。鍵情報生成部２２は、関連コンテンツC1'乃至C4'を暗号化するための鍵情報KeyC1乃至KeyC4をそれぞれ生成する。暗号化部２３は、関連コンテンツC1'乃至C4'を鍵情報KeyC1乃至KeyC4でそれぞれ暗号化し、配信装置１２の記憶部４１に格納させる。格納アドレス取得部２４は、関連コンテンツC1'乃至C4'の記憶部４１における格納アドレス情報URLC1乃至URLC4をそれぞれ取得する。
【０１１３】
解読情報付加部２５は、鍵情報生成部２２で生成された鍵情報KeyC1乃至KeyC4、および、格納アドレス取得部２４で取得された格納アドレス情報URLC1乃至URLC4から、解読情報WMC1乃至WMC4をそれぞれ生成する。この解読情報WMC1乃至WMC4は、次式（６）乃至（９）で表される。
WMC1＝URLC1＋KeyC1                                                ・・・（６）
WMC2＝URLC2＋KeyC2                                                ・・・（７）
WMC3＝URLC3＋KeyC3                                                ・・・（８）
WMC4＝URLC4＋KeyC4                                                ・・・（９）
【０１１４】
そして、解読情報付加部２５は、解読情報WMC1乃至WMC4をコンテンツC1乃至C4、および広告情報CMC1乃至CMC3にそれぞれ隠蔽化した後、編集済みコンテンツとして記憶部２６に記憶させる。その後、制御部２７は、編集済みコンテンツを記憶部２６から読み出し、送信部２８を介して配信する。
【０１１５】
このコンテンツを受信したテレビジョン受像機１４の解読情報取得部５５は、アンテナ５１、チューナ５２、復調部５３、画像処理部７１、および出力部７２を介して出力された出力データから解読情報を取得し、格納アドレス情報URLC1乃至URLC4を関連コンテンツ要求部５６に供給するとともに、鍵情報KeyC1乃至KeyC4を復号部５８に供給する。
【０１１６】
関連コンテンツ要求部５６は、格納アドレス情報URLC1乃至URLC4に基づいて、配信装置１２に対し、関連コンテンツの配信を要求する。この要求を受信した配信装置１２の制御部４２は、格納アドレス情報URLC1乃至URLC4にそれぞれ格納されている関連コンテンツC1'乃至C4'を記憶部４１から取得し、送受信部４３を介してテレビジョン受像機１４に配信する。
【０１１７】
テレビジョン受像機１４の復号部５８は、外部入力部５７で受信された関連コンテンツC1'乃至C4'を、鍵情報KeyC1乃至KeyC4を用いてそれぞれ復号する。合成部７３は、出力部７２から出力されたコンテンツC1乃至C4に、復号部５８で復号された関連コンテンツC1'乃至C4'を合成して出力する。なお、関連コンテンツC1'乃至C4'は、それぞれ固有のコンテンツであってもよいし、それらが１つに結合されることで、１つのコンテンツを形成するようにしてもよい。
【０１１８】
また、図３Ｃにおいて、例えば、コンテンツC1および広告情報CMC1の再生により得た関連コンテンツC1'、コンテンツC1,C2および広告情報CMC1,CMC2の再生により得た関連コンテンツC2'、コンテンツC1乃至C3および広告情報CMC1乃至CMC3の再生により得た関連コンテンツC3'、コンテンツC1乃至C4および広告情報CMC1乃至CMC4（CMC4は図示せず）の再生により得た関連コンテンツC4'でそれぞれ品質を変えるようにし、視聴者が、コンテンツおよび広告情報を長く見れば見るほど、より高品質の関連コンテンツを取得することができるようにしてもよい。
【０１１９】
さらに、解読情報は、図３Ａに示したように、コンテンツおよび広告情報の一部に隠蔽化されるか、図３Ｂおよび図３Ｃに示したように、各コンテンツおよび各広告情報の全部に隠蔽化されるようにして説明したが、これに限らず、例えば、予め決められた所定のコンテンツおよび広告情報に分散化されて隠蔽化されるようにしてもよい（その図示は省略する）。
【０１２０】
以上のようにして、放送コンテンツ、および、そのコンテンツに連動する関連コンテンツが合成されて出力される。かくして、連動とは、例えば、以下のようなものが考えられる。
【０１２１】
（１）野球中継において、選手の成績情報データを関連コンテンツとして取得し、画面に重ねて表示する。
（２）野球中継において、スローモーション画像や他の角度から撮像した映像を関連コンテンツとして取得し、表示する。
（３）録画済みのニュースや天気予報番組を再生する際に、その後の経過状況や変更状況を関連コンテンツとして取得し、表示する。
（４）景品などの申し込み映像において、番組を正常に視聴していたユーザのみがクイズのヒントなどを関連コンテンツとして取得し、表示する。
（５）番組において、その番組を正常に視聴していたユーザのみが景品申し込み映像を関連コンテンツとして取得し、表示する。
（６）音楽番組あるいは映像番組において、高音質データや高画質データを関連コンテンツとして取得し、低音質データや低画質データから切り替えて出力する。
（７）所定の広告主のCMを全て視聴した場合に、この広告主が提供する次のCM（例えば、レア物のCM）を取得し、表示する。
（８）関連コンテンツを受信し、このデータに基づいて、振動パット、リクライニングシート、匂い発生装置、あるいは加速度体感装置などの外部機器を制御する。
【０１２２】
このように、ユーザが、CMを正常に視聴した場合にのみ、放送コンテンツに連動する関連コンテンツを取得することができ、コンテンツ提供装置１１は、より面白みのあるサービスとして番組を提供することができる。
【０１２３】
次に、図４のフローチャートを参照して、コンテンツ提供装置１１が実行する、放送コンテンツ配信処理について説明する。
【０１２４】
ステップＳ１において、コンテンツ提供装置１１の管理者は、広告主１６とスポンサ契約する。ステップＳ２において、コンテンツ制作部２１は、コンテンツ（番組）に、広告主１６から提供された広告情報（CM）を挿入した放送コンテンツを制作する。ステップＳ３において、コンテンツ制作部２１は、ステップＳ２の処理で制作した放送コンテンツが正常に視聴された場合に新たに提供するための、放送コンテンツに連動した関連コンテンツを制作する。
【０１２５】
ステップＳ４において、鍵情報生成部２２は、ステップＳ３の処理で制作された関連コンテンツを暗号化するための鍵情報を生成する。ステップＳ５において、暗号化部２３は、ステップＳ３の処理で制作された関連コンテンツを、ステップＳ４の処理で生成された鍵情報を用いて暗号化する。ステップＳ６において、暗号化部２３は、ステップＳ５の処理で暗号化された関連コンテンツを配信装置１２に供給し、記憶部４１に格納させる。
【０１２６】
ステップＳ７において、格納アドレス取得部２４は、ステップＳ６の処理で配信装置１２の記憶部４１に格納された関連コンテンツの格納アドレス情報を取得する。ステップＳ８において、解読情報付加部２５は、ステップＳ４の処理で生成された鍵情報、および、ステップＳ７の処理で取得された格納アドレス情報を解読情報（Watermark）として、ステップＳ２の処理で制作された放送コンテンツに隠蔽化する（例えば、図３Ａ乃至図３Ｃ）。
【０１２７】
ステップＳ９において、解読情報付加部２５は、ステップＳ８の処理で解読情報が隠蔽化された放送コンテンツを、編集済み放送コンテンツとして記憶部２６に記憶させる。ステップＳ１０において、制御部２７は、ステップＳ９の処理で記憶部２６に記憶された編集済みコンテンツを読み出し、送信部２８を介して配信する。
【０１２８】
以上の放送コンテンツ配信処理により、コンテンツ提供装置１１は、放送コンテンツに連動する関連コンテンツを制作するとともに、関連コンテンツを取得するための解読情報を生成し、その解読情報を放送コンテンツに隠蔽化して、視聴者に配信することができる。
【０１２９】
次に、図５のフローチャートを参照して、テレビジョン受像機１４が実行する、コンテンツ受信処理について説明する。
【０１３０】
ステップＳ２１において、アンテナ５１は、上述した図４のステップＳ１０の処理により配信されてきた放送波（すなわち、放送コンテンツ）を受信する。ステップＳ２２において、チューナ５２は、ステップＳ２１の処理で受信された放送コンテンツをチューニングし、所定のチャンネルの受信波を選択する。ステップＳ２３において、復調部５３は、ステップＳ２２の処理で選択された所定のチャンネルの受信波を復調する。
【０１３１】
ステップＳ２４において、画像処理部７１は、ステップＳ２３の処理で復調されたデータに対して所定の画像処理を施す。出力部７２は、画像処理が施されたデータから出力データを生成する。ステップＳ２５において、解読情報取得部５５は、ステップＳ２４の処理で生成された出力データから、鍵情報および格納アドレス情報を含む解読情報を取得する。ステップＳ２６において、関連コンテンツ要求部５６は、ステップＳ２５の処理で取得された格納アドレス情報に基づいて、ネットワーク１３を介して配信装置１２に対し、関連コンテンツの配信を要求する。この要求を受信した配信装置１２は、受信要求に含まれる格納アドレス情報に基づいて関連コンテンツを検索し、配信する（その詳細は、図６のフローチャートを参照して後述する）。
【０１３２】
ステップＳ２７において、外部入力部５７は、ステップＳ２６の処理による配信要求に応じて、配信装置１２よりネットワーク１３を介して配信されてきた関連コンテンツを取得する。復号部５８は、ステップＳ２５の処理で取得された鍵情報を用いて関連コンテンツを復号する。ステップＳ２８において、合成部７３は、ステップＳ２４の処理で生成された出力データ（放送コンテンツ）、および、ステップＳ２７の処理で復号されたデータ（関連コンテンツ）を合成し、ディスプレイやスピーカなどに出力する。
【０１３３】
以上のコンテンツ受信処理により、テレビジョン受像機１４は、受信した放送コンテンツ（CMを含む）を正常に再生した場合に得られる解読情報に基づいて、その放送コンテンツに連動する関連コンテンツを新たに取得することができる。
【０１３４】
次に、図６のフローチャートを参照して、配信装置１２が実行する、関連コンテンツ配信処理について説明する。
【０１３５】
ステップＳ４１において、制御部４２は、送受信部４３を介して、視聴者（例えば、テレビジョン受像機１４）より関連コンテンツの配信要求を受信したか否かを判定し、関連コンテンツの配信要求を受信するまで待機する。そして、上述した図５のステップＳ２６の処理により送信されてきた関連コンテンツの配信要求を受信したと判定された場合、ステップＳ４２に進み、制御部４２は、配信要求に含まれる格納アドレス情報に基づいて、記憶部４１に格納されている所定の関連コンテンツを検索する。ステップＳ４３において、制御部４２は、ステップＳ４２の処理で検索された関連コテンツを、送受信部４３を介して配信する。
【０１３６】
以上の関連コンテンツ配信処理により、配信装置１２は、視聴者からの配信要求に含まれる格納アドレス情報に基づいて、対応する関連コンテンツを検索し、配信することができる。
【０１３７】
以上によれば、放送コンテンツのコンテンツ領域およびCM領域に、放送コンテンツに連動する関連コンテンツを取得するための解読情報（格納アドレス情報および鍵情報）を隠蔽化することにより、視聴者が番組の視聴時に解読情報を取得し、その解読情報に基づいて、関連コンテンツをリアルタイムで取得し、復号することが可能となる。その際に、例えば、取得した関連コンテンツをCM領域で視聴させるように制限することで（例えば、関連コンテンツを、CM領域の音声と映像を一致させるための同期情報に同期させることで）、視聴者は、CMをスキップせずに正常に視聴した場合にのみ、関連コンテンツを再生することができる。
【０１３８】
また、例えば、放送コンテンツ領域に関連コンテンツを取得するための格納アドレス情報を隠蔽化し、CM領域に関連コンテンツを復号するための鍵情報を隠蔽化するようにすれば、視聴者は、番組の視聴時に格納アドレス情報を取得し、その格納アドレス情報に基づいて関連コンテンツも同時に取得することができる。そして、視聴者は、CMを視聴することで鍵情報を取得し、関連コンテンツを復号することができる。復号された関連コンテンツは、放送コンテンツ上に重畳表示させたり、あるいは、再生専用チャネルに切り替えて、そこの枠内で再生させるようにする。
【０１３９】
さらにまた、例えば、CM領域に関連コンテンツを取得するための解読情報（格納アドレス情報および鍵情報）を隠蔽化することにより、視聴者は、CMを視聴した場合にのみ、解読情報を取得することができ、その解読情報に基づいて関連コンテンツを取得し、復号することができる。復号された関連コンテンツは、放送コンテンツ上に重畳表示させたり、あるいは、再生専用チャネルに切り替えて、そこの枠内で再生させるようにする。
【０１４０】
以上のように、コンテンツ提供装置１１は、CMを強制的に見せるのではなく、CMを見たくなるような放送コンテンツを提供することで、視聴者は、より質の高いサービスを受けるために（すなわち、関連コンテンツを取得してそれを再生するために）、CMをスキップしたり、あるいは、他チャンネルに切替えたりすることなく、自然とCMを視聴するようになる。
【０１４１】
また、以上においては、放送コンテンツをリアルタイムで視聴し、その放送コンテンツに含まれる解読情報に基づいて、関連コンテンツを取得する場合の例について説明したが、本発明はこれに限られるものではなく、例えば、放送コンテンツを録画し、それを再生した場合にも、関連コンテンツを取得することが可能である。
【０１４２】
次に、図７のフローチャートを参照して、録画装置１５が実行する、コンテンツ録画処理について説明する。
【０１４３】
ステップＳ５１において、アンテナ８１は、上述した図４のステップＳ１０の処理により配信されてきた放送波（すなわち、放送コンテンツ）を受信する。ステップＳ５２において、チューナ８２は、ステップＳ５１の処理で受信された放送コンテンツをチューニングし、所定のチャンネルの受信波を選択する。ステップＳ５３において、復調部８３は、ステップＳ５２の処理で選択された所定のチャンネルの受信波を復調する。
【０１４４】
ステップＳ５４において、画像処理部９１は、ステップＳ５３の処理で復調されたデータに対し、所定の画像処理を施す。出力部９２は、画像処理が施されたデータから出力データを生成する。ステップＳ５５において、記録部９３は、ステップＳ５４の処理で生成された出力データに対して所定の圧縮処理を施す。ステップＳ５６において、記録部９３は、ステップＳ５５の処理で圧縮処理が施されたデータを録画データとしてHDD９４に保存（録画）させる。
【０１４５】
以上のコンテンツ録画処理により、録画装置１５は、受信した放送コンテンツ（CMを含む）をHDD９４に録画することができる。
【０１４６】
次に、図８のフローチャートを参照して、録画装置１５が実行する、録画コンテンツの再生処理について説明する。
【０１４７】
ステップＳ６１において、再生部９５は、図示せぬ入力部を介してユーザより再生が指示されたか否かを判定し、再生が指示されるまで待機する。そして、再生が指示されたと判定された場合、ステップＳ６２に進み、再生部９５は、HDD９４に録画されているデータのうち、ユーザにより指示された所定のデータを読み出して再生する。ステップＳ６３において、再生部９５は、ステップＳ６２の処理で再生されたデータに対して所定の伸張処理を施す。
【０１４８】
ステップＳ６４において、解読情報取得部８５は、ステップＳ６３の処理で伸張処理が施された再生データから、鍵情報および格納アドレス情報を含む解読情報を取得する。ステップＳ６５において、解読情報取得部８５は、格納アドレス情報に対応する関連コンテンツが既にHDD９４に保存されているか否かを判定し、格納アドレス情報に対応する関連コンテンツが既にHDD９４に保存されていると判定した場合、ステップＳ６６に進み、さらに、保存されている関連コンテンツより、新しい関連コンテンツの取得が可能であるか否かを判定する。例えば、保存されている関連コンテンツが期限付きコンテンツである場合、その期限が切れていれば、新しい関連コンテンツの取得が可能であると判定される。
【０１４９】
ステップＳ６６において、新しい関連コンテンツの取得が可能であると判定された場合、または、ステップＳ６５において、格納アドレス情報に対応する関連コンテンツがHDD９４に保存されていないと判定された場合、ステップＳ６７に進み、関連コンテンツ要求部８６は、ステップＳ６４の処理で取得された格納アドレス情報に基づいて、ネットワーク１３を介して配信装置１２に対し、関連コンテンツの配信を要求する。この要求を受信した配信装置１２は、上述した図６のステップＳ４２，Ｓ４３の処理により、関連コンテンツを検索し、配信する。
【０１５０】
ステップＳ６８において、外部入力部８７は、ステップＳ６７の処理による配信要求に応じて、配信装置１２よりネットワーク１３を介して配信されてきた関連コンテンツを取得する。復号部８８は、ステップＳ６４の処理で取得された鍵情報を用いて、関連コンテンツを復号する。
【０１５１】
ステップＳ６６において、新しい関連コンテンツの取得が可能ではないと判定された場合、ステップＳ６９に進み、再生部９５は、HDD９４に保存されている関連コンテンツのうち、ステップＳ６４の処理で取得された格納アドレス情報に対応する関連コンテンツを読み出す。復号部８８は、ステップＳ６４の処理で取得された鍵情報を用いて、HDD９４から読み出された関連コンテンツを復号する。
【０１５２】
ステップＳ６８またはステップＳ６９の処理の後、ステップＳ７０において、合成部９６は、ステップＳ６３の処理で伸張された再生データ（放送コンテンツ）、および、ステップＳ６８またはステップＳ６９の処理で復号されたデータ（関連コンテンツ）を合成し、テレビジョン受像機１４のディスプレイやスピーカなどに出力する。ステップＳ７１において、記録部９３は、ステップＳ６８またはステップＳ６９の処理で復号されたデータ（関連コンテンツ）に対して、必要であれば所定の圧縮処理を施し、HDD９４に保存させる。ただし、ステップＳ６８の処理で復号されたデータは、HDD９４に保存されているデータより新しいものであるため、古いデータから新しいデータへの更新が行われる。
【０１５３】
以上の録画コンテンツ再生処理により、録画装置１５は、録画した放送コンテンツ（CMを含む）を正常に再生した場合に得られる解読情報に基づいて、その放送コンテンツに連動する関連コンテンツを新たに取得することができる。
【０１５４】
以上においては、受信した放送コンテンツに含まれる解読情報に基づいて、関連コンテンツを取得する場合の例について説明したが、本発明はこれに限られるものではなく、例えば、記録メディアに記録されているCM付きコンテンツを再生した場合に得られる解読情報に基づいて、関連コンテンツを取得することも可能である。
【０１５５】
次に、図９のフローチャートを参照して、テレビジョン受像機１４が実行する、ドライブ５９に装着されたメディア６０に記録されているCM付きコンテンツの再生処理について説明する。
【０１５６】
ステップＳ８１において、画像処理部７１は、図示せぬ入力部を介してユーザより再生が指示されたか否かを判定し、再生が指示されるまで待機する。そして、再生が指示されたと判定された場合、ステップＳ８２に進み、画像処理部７１は、ドライブ５９に装着されたメディア６０に記録されているデータのうち、ユーザにより指示された所定のデータを読み出す。ステップＳ８３において、画像処理部７１は、ステップＳ８２の処理で読み出されたデータに対して所定の画像処理を施す。出力部７２は、画像処理が施されたデータから出力データを生成する。
【０１５７】
ステップＳ８４において、解読情報取得部５５は、ステップＳ８３の処理で生成された出力データから、鍵情報および格納アドレス情報を含む解読情報を取得する。ステップＳ８５において、関連コンテンツ要求部５６は、ステップＳ８４の処理で取得された格納アドレス情報に基づいて、ネットワーク１３を介して配信装置１２に対し、関連コンテンツの配信を要求する。この要求を受信した配信装置１２は、上述した図６のステップＳ４２，Ｓ４３の処理により、関連コンテンツを検索し、配信する。
【０１５８】
ステップＳ８６において、外部入力部５７は、ステップＳ８５の処理による配信要求に応じて、配信装置１２よりネットワーク１３を介して配信されてきた関連コンテンツを取得する。復号部５８は、ステップＳ８４の処理で取得された鍵情報を用いて関連コンテンツを復号する。ステップＳ８７において、合成部７３は、ステップＳ８３の処理で生成された出力データ（放送コンテンツ）、および、ステップＳ８６の処理で復号されたデータ（関連コンテンツ）を合成し、ディスプレイやスピーカなどに出力する。
【０１５９】
以上の記録メディア再生処理により、テレビジョン受像機１４は、メディア６０に記録されているCM付きコンテンツを正常に再生した場合に得られる解読情報に基づいて、そのコンテンツに連動する関連コンテンツを新たに取得することができる。
【０１６０】
本発明によれば、コンテンツ提供装置１１は、コンテンツ領域およびCM領域に、コンテンツに連動する関連コンテンツを取得するための解読情報を隠蔽化することにより、より魅力的なコンテンツを提供することが可能となる。一方、視聴者は、より質の高いサービスを受けるために（関連コンテンツを取得するために）、CMをスキップしたり、あるいは、他チャンネルに切替えたりすることなく、自然とCMを視聴するようになる。
【０１６１】
また本発明によれば、コンテンツ提供装置１１は、適宜、関連コンテンツを最新のものに更新するようにしてもよい。その場合の関連コンテンツ再格納処理について、図１０のフローチャートを参照して説明する。
【０１６２】
ステップＳ１０１において、コンテンツ制作部２１は、既に制作されている（例えば、図４のステップＳ２の処理により既に制作されている）放送コンテンツが正常に視聴された場合に新たに提供するための、放送コンテンツに連動した関連コンテンツを再制作する。ステップＳ１０２において、鍵情報生成部２２は、生成済みの（例えば、図４のステップＳ４の処理で生成された）鍵情報を検索する。ステップＳ１０３において、暗号化部２３は、ステップＳ１０１の処理で再制作された関連コンテンツを、ステップＳ１０２の処理で検索された鍵情報を用いて暗号化する。ステップＳ１０４において、暗号化部２３は、ステップＳ１０３の処理で暗号化された関連コンテンツを配信装置１２に供給し、記憶部４１に格納させる。
【０１６３】
以上の関連コンテンツ再格納処理により、コンテンツ提供装置１１は、視聴者に対し、常に最新のコンテンツを提供することができる。そのため、視聴者にとっても、興味が薄れることなく、自然とCMを視聴するようになる。
【０１６４】
なお、以上においては、コンテンツ提供装置１１が放送コンテンツを配信し、配信装置１２が放送コンテンツに連動する関連コンテンツを配信するようにしたが、コンテンツ提供装置１１が、放送コンテンツおよび関連コンテンツの両方を配信するようにしても良い。
【０１６５】
上述した一連の処理は、ハードウエアにより実行させることもできるし、パーソナルコンピュータなどを利用したソフトウエアにより実行させることもできる。この場合、例えば、コンテンツ提供装置１１、配信装置１２、テレビジョン受像機１４、および録画装置１５には、図１１に示されるようなコンピュータ２００が含まれる。
【０１６６】
図１１において、CPU（Central Processing Unit）２０１は、ROM（Read Only Memory）２０２に記憶されているプログラム、または記憶部２０８からRAM（Random Access Memory）２０３にロードされたプログラムに従って各種の処理を実行する。RAM２０３にはまた、CPU２０１が各種の処理を実行する上において必要なデータなども適宜記憶される。
【０１６７】
CPU２０１、ROM２０２、およびRAM２０３は、バス２０４を介して相互に接続されている。このバス２０４にはまた、入出力インタフェース２０５も接続されている。
【０１６８】
入出力インタフェース２０５には、キーボード、マウスなどよりなる入力部２０６、CRT(Cathode Ray Tube)、LCD(Liquid Crystal display)などよりなるディスプレイ、並びにスピーカなどよりなる出力部２０７、ハードディスクなどより構成される記憶部２０８、モデムなどより構成される通信部２０９が接続されている。通信部２０９は、インターネットを含むネットワーク１３を介しての通信処理を行う。
【０１６９】
入出力インタフェース２０５にはまた、必要に応じてドライブ２１０が接続され、磁気ディスク、光ディスク、光磁気ディスク、あるいは半導体メモリなどのリムーバブルメディア２１１が適宜装着され、それらから読み出されたコンピュータプログラムが、必要に応じて記憶部２０８にインストールされる。
【０１７０】
上述した一連の処理をソフトウエアにより実行させる場合には、そのソフトウエアを構成するプログラムが、ネットワークや記録媒体からインストールされる。
【０１７１】
この記録媒体は、図１１に示されるように、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア２１１により構成されるだけでなく、装置本体に予め組み込まれた状態でユーザに配信される、プログラムが記録されているROM２０２や、記憶部２０８に含まれるハードディスクなどで構成される。
【０１７２】
なお、本明細書において、記録媒体に記憶されるプログラムを記述するステップは、含む順序に沿って時系列的に行われる処理はもちろん、必ずしも時系列的に処理されなくとも、並列的あるいは個別に実行される処理をも含むものである。
【０１７３】
また、本明細書において、システムとは、複数の装置により構成される装置全体を表わすものである。
【図面の簡単な説明】
【０１７４】
【図１】本発明を適用した配信システムの一実施の形態の構成例を示す図である。
【図２】配信システムの内部の構成例を示すブロック図である。
【図３】コンテンツに解読情報を隠蔽化する処理の詳細を説明する図である。
【図４】放送コンテンツ配信処理を説明するフローチャートである。
【図５】コンテンツ受信処理を説明するフローチャートである。
【図６】関連コンテンツ配信処理を説明するフローチャートである。
【図７】コンテンツ録画処理を説明するフローチャートである。
【図８】録画コンテンツ再生処理を説明するフローチャートである。
【図９】記録メディア再生処理を説明するフローチャートである。
【図１０】関連コンテンツ再格納処理を説明するフローチャートである。
【図１１】コンピュータの構成例を示すブロックである。
【符号の説明】
【０１７５】
１  配信システム，１１  コンテンツ提供装置，１２  配信装置，  １３  ネットワーク，  １４  テレビジョン受像機，  １５  録画装置，  １６  広告主，  ２１  コンテンツ制作部，  ２２  鍵情報生成部，  ２３  暗号化部，  ２４  格納アドレス取得部，  ２５  解読情報付加部，  ２６  記憶部，  ２７  制御部，  ２８  送信部，  ４１  記憶部，  ４２  制御部４２  送受信部，  ５１  アンテナ，  ５２  チューナ，  ５３  復調部，  ５４  使用部，  ５５  解読情報取得部，  ５６  関連コンテンツ要求部，  ５７  外部入力部，  ５８  復号部，  ５９  ドライブ，  ６０  メディア，  ７１  画像処理部，  ７２  出力部，  ７３  合成部，  ８１  アンテナ，  ８２  チューナ，  ８３  復調部，  ８４  使用部，  ８５  解読情報取得部，  ８６  関連コンテンツ要求部，  ８７  外部入力部，  ８８  復号部，  ９１  画像処理部，  ９２  出力部，  ９３  記録部，９４  HDD，  ９５  再生部，  ９６  合成部
【図１】
2006041574.tif 000003
【図２】
2006041574.tif 000004
【図３】
2006041574.tif 000005
【図４】
2006041574.tif 000006
【図５】
2006041574.tif 000007
【図６】
2006041574.tif 000008
【図７】
2006041574.tif 000009
【図８】
2006041574.tif 000010
【図９】
2006041574.tif 000011
【図１０】
2006041574.tif 000012
【図１１】
2006041574.tif 000013